(57)【要約】【課題】  原稿を読み取った画像データを送信先へ送信する複合機１００において、画像データのデータサイズが大きいときに、正確に再現されなくなる場合が発生するのを防止する。【解決手段】  サイズ判別部１０３は、画像データのサイズが制限サイズを越えているか否かを判別し、通信部１０５は、サイズ判別部１０３による判別結果が制限サイズ以下であると、該画像データ含む文字データを上記送信先へ送信し、判別結果が制限サイズを超えていると所定の格納場所に該画像データを送信して格納し、該格納場所のアドレスを記載した文字データを上記送信先へ送信する。【選択図】  図１
2008236581.tif 000002
【特許請求の範囲】
【請求項１】
読み取った画像データを送信先へ送信する画像処理装置であって、
前記画像データのサイズが制限サイズを越えているか否かを判別するサイズ判別手段と、
前記サイズ判別手段による判別結果が前記制限サイズ以下であると、該画像データと共に文字データを前記送信先へ送信し、前記判別結果が前記制限サイズを超えていると、所定の格納場所に該画像データを送信して格納し、該格納場所のアドレスを記載した文字データを前記送信先へ送信する通信制御手段とを備えていることを特徴とする画像処理装置。
【請求項２】
前記制限サイズ、前記送信先のアドレス、及び前記格納場所に関する情報を予め記憶する設定情報記憶手段を、更に備えることを特徴とする請求項１に記載の画像処理装置。
【請求項３】
読み取った画像データを送信先へ送信する画像処理装置であって、
前記画像データのサイズが制限サイズを越えているか否かを判別するサイズ判別手段と、
前記サイズ判別手段による判別結果が前記制限サイズ以下であると、該画像データと共に文字データを前記送信先へ送信し、前記判別結果が前記制限サイズを超えていると、前記画像データへの装置内部におけるアクセス先を含む文字データを前記送信先へ送信する通信制御手段とを備えていることを特徴とする画像処理装置。
【請求項４】
前記制限サイズ、前記送信先のアドレス、及び前記装置内部におけるアクセス先に関する情報を予め記憶する設定情報記憶手段を、更に備えることを特徴とする請求項３に記載の画像処理装置。
【請求項５】
前記通信制御手段は、更に、前記送信先から画像データの取得要求を受け入れると、前記画像データを前記装置内部におけるアクセス先から読み出して、前記送信先へ送信することを特徴とする請求項３または請求項４に記載の画像処理装置。
【請求項６】
前記文字データは電子メールであることを特徴とする請求項１から請求項５までの何れか一項に記載の画像処理装置。
【発明の詳細な説明】
【技術分野】
【０００１】
この発明は、読み取った画像データを送信する画像処理装置に関するものである。
【背景技術】
【０００２】
従来から、読み取った画像データをＥメールで送信する画像処理装置が普及している（特許文献１参照）。かかる従来の画像処理装置では、送信すべき画像データのサイズが、Ｅメールでの送信制限を越えていると判断された場合には、該画像データは、送信制限以下のデータサイズに圧縮され、しかる後送信されていた。
【特許文献１】特開２００３−６９７９９号公報
【発明の開示】
【発明が解決しようとする課題】
【０００３】
しかしながら、従来の画像処理装置では、画像データの圧縮率が高い場合には、情報の欠落が発生し、読み取られた画像データが、正確に再現されなくなる場合も発生し得るという解決すべき課題が残されていた。
【課題を解決するための手段】
【０００４】
本発明は、読み取った画像データを送信先へ送信する画像処理装置であって、上記画像データのサイズが制限サイズを越えているか否かを判別するサイズ判別手段と、上記サイズ判別手段による判別結果が上記制限サイズ以下であると、該画像データと共に文字データを上記送信先へ送信し、上記判別結果が上記制限サイズを超えていると、所定の格納場所に該画像データを送信して格納し、該格納場所のアドレスを記載した文字データを上記送信先へ送信する通信制御手段とを備えていることを主要な特徴とする。
【発明の効果】
【０００５】
サイズ判別手段は、画像データのサイズが制限サイズを越えているか否かを判別し、判別結果が上記制限サイズ以下であると、通信制御手段が該画像データを含むメッセージを上記送信先へ送信し、判別結果が上記制限サイズを超えていると、通信制御手段が所定の格納場所に該画像データを送信して格納し、該格納場所のアドレスを記載したメッセージを上記送信先へ送信する。従って、画像データのサイズが、制限サイズを超える場合であっても、データサイズが圧縮されることは無くなり、送信先は、情報の欠落が発生しない画像データを上記格納場所から取得できる。その結果、読み取られた画像データを、正確に再現出来るという効果を得る。
【発明を実施するための最良の形態】
【０００６】
以下、本発明の一実施形態を図を用いて詳細に説明する。
【実施例１】
【０００７】
（構成）の説明
図１は、実施例１の複合機のブロック図である。
図に示すように、実施例１の画像処理装置としての複合機１００は、読取部１０１と、画像処理部１０２と、サイズ判別部１０３と、メール作成部１０４と、通信部１０５と、設定情報記憶部１０７と、画像記憶部１０８と、操作部１０９と、表示部１１０と、制御部１２０とを備えている。
【０００８】
読取部１０１は、原稿から画像データを読み取る部分である。画像処理部１０２は、読み取った画像データをファイルに変換する部分である。サイズ判別部１０３は、ファイルがＥメール添付可能かどうかを判断する部分である。メール作成部１０４は、サイズ判別部の判別結果に基づいてメールを作成する部分である。通信部１０５は、Ｅメールの送信や変換したファイルを設定されたサーバに送信する部分である。尚、通信部１０５は原稿を読み取って変換したファイルやメールをＴＣＰ／ＩＰを用いて送信するためにネットワークに接続されている。設定情報記憶部１０７は、格納先のサーバ設定情報を記憶するメモリである。このサーバ設定情報については後に他の図を用いて説明する。画像記憶部１０８は、変換したファイルを記憶しておくメモリである。
【０００９】
操作部１０９は、原稿の読み取り開始の指示を行う部分である。表示部１１０は、格納先サーバ設定やメール送信設定を表示する部分である。操作者は、この操作部１０９と表示部１１０により生成される表示画面１１１を用いて設定値を入力する。この表示画面１１１の詳細については後に他の図を用いて説明する。制御部１２０は図示しないＣＰＵが、図示しないＲＯＭに予め格納されている制御プログラムを実行し、上記各部分を生成・起動するとともに装置全体を制御する部分である。
【００１０】
図２は、実施例１のネットワーク構成図である。
図に示すように、複合機１００は、格納サーバとしてのＦＴＰ（Ｆｉｌｅ  Ｔｒａｎｓｆｅｒ  Ｐｒｏｔｏｃｏｌ）サーバ２０１、メールサーバ２０４、パソコン２０７と共にネットワーク２００に接続されている。
【００１１】
ＦＴＰサーバ２０１は、後に動作の説明で再度詳細に説明するが、本発明によって新たに利用される格納サーバである。サイズ判別部１０３（図１）が、ファイルがＥメール添付不可能と判断したときに複合機１００と回線接続されるサーバである。ＴＣＰ／ＩＰを用いて通信を行なう通信部２０３と、複合機１００の画像記憶部１０８（図１）に格納されているファイルを受け入れて格納するデータ格納部２０２を有する。
【００１２】
メールサーバ２０４は、サイズ判別部１０３（図１）が、ファイルがＥメール添付可能と判断したときに複合機１００と回線接続される通常のメール送信において用いられる格納サーバである。ＴＣＰ／ＩＰを用いて通信を行なう通信部２０６と、メールデータを格納するメールＢＯＸ２０５を有する。
【００１３】
パソコン２０７は、メールの送信先、即ち、メール送信の宛先になる通常のメール送受信に用いられるＰＣ（パーソナルコンピュータ）である。ＴＣＰ／ＩＰを用いて通信を行なう通信部２０８と、メールデータ閲覧ソフトであるメーラー２０９と、ＦＴＰサーバ２０１からデータを取得するファイル転送機能ソフトであるＦＴＰクライアント２１０を有する。
【００１４】
複合機１００で読み取られ変換されたファイルは、ネットワーク２００を経由してメールサーバ２０４に送信され、メールサーバ２０４からパソコン２０７に送信される。またネットワーク２００を経由してＦＴＰサーバ２０１に複合機１００で読み取られ変換されたファイルを送信することもある。ここで、メールサーバに送信及びＦＴＰサーバに格納されるファイルの形式は、例えば、ＰＤＦやＴＩＦＦ、ＪＰＥＧである。
【００１５】
図３は、実施例１のサーバ設定情報の説明図である。
この図は、上記設定情報記憶部１０７に格納されているサーバ設定情報３００の一例である。図に示すように送信先アドレス３０１にはＥメールの送信先アドレスが設定される。制限サイズ３０２はメールサーバ２０４（図２）に設定されたＥメールの添付ファイルの最大サイズが設定される。格納サーバアドレス３０３には、複合機１００（図１）が原稿をスキャンして変換したファイルが制限サイズ３０２を越えた場合にファイルを格納するサーバのアドレスが設定される。
【００１６】
尚、本実施例ではＩＰアドレスを使用しているが、ＩＰアドレスに限らず、ＤＮＳサーバを利用している環境であればＤＮＳ名などで設定することも可能である。格納ディレクトリ３０４には、ファイルを格納するディレクトリが設定される。プロトコル３０５には、複合機１００（図１）から格納サーバへファイルを送信する場合のプロトコルが設定する。これらの設定は表示画面１１１（図１）の中に表示されるソフトキーボードを使用して入力される。
【００１７】
図４は、実施例１の表示画面の説明図である。
この図は、実施例１で用いられる表示画面の一例について説明する図である。
表示画面１１１には、格納情報４０１としてサーバ設定情報３００（図３）の内容が表示される。操作者は、上下の矢印ボタン４０２、４０３を選択して移動させ、選択ボタン４０４で決定する。決定した場合には、チェックマーク４０７が表示される。ユーザは選択完了後、送信ボタン４０６を選択することで、画像の読み取り、データの送信を開始することができる。また、ソフトキーボード４０９を使用することにより、格納サーバの登録や編集を行うことができる。
【００１８】
（動作）の説明
図５は、実施例１の処理フローチャートである。
複合機１００が原稿を読み取ってデータを送信するまでの動作に関して、フローチャートのステップＳ００１からステップＳ０１２まで、ステップ順に説明する。
【００１９】
ステップＳ００１
操作者が表示画面１１１（図４）の送信ボタン４０６を選択すると、複合機１００による原稿画像の読み取りが開始される。
【００２０】
ステップＳ００２
画像処理部１０２（図１）は、読み取った画像データをファイルに変換する。
【００２１】
ステップＳ００３
画像処理部１０２（図１）は、作成したファイルを画像記憶部１０８（図１）に格納する。
【００２２】
ステップＳ００４
サイズ判別部１０３は、画像記憶部１０８（図１）に格納されているファイルのファイルサイズ、メールサーバの制限サイズを取得し、サイズ制限を越えているかどうかの判定を行う。
【００２３】
ステップＳ００５
制限サイズを越えていない場合にはステップＳ００６へ進み、超えている場合にはステップＳ００８へ進む。
【００２４】
ステップＳ００６
メール作成部１０４（図１）は、画像記憶部１０８（図１）に格納されているファイルを添付したメールを作成する。このとき文字データを含むメッセージを追加してもよい。
【００２５】
ステップＳ００７
通信部１０５（図１）は、メール作成部１０４（図１）が作成したメールを所定の宛先（図２におけるパソコン２０７）へ送信してフローを終了する。
【００２６】
ステップＳ００８
通信部１０５（図１）は、設定情報記憶部１０７（図１）からサーバ設定情報３００（図３）を取得する。
【００２７】
ステップＳ００９
通信部１０５（図１）は、サーバ設定情報３００（図３）に基づいてＦＴＰサーバ２０１（図２）に回線接続する。
【００２８】
ステップＳ０１０
ＦＴＰサーバに接続したら、通信部１０５（図１）は、画像記憶部１０８（図１）に格納されているファイルをＦＴＰサーバ２０１（図２）に送信する。
【００２９】
ステップＳ０１１
メール作成部１０４（図１）は、格納先を通知するためのメールをサーバ設定情報３００（図３）の格納サーバアドレス３０３（図３）と格納ディレクトリ３０４（図３）を組み合せて作成する。
【００３０】
ステップＳ０１２
通信部１０５（図１）は、メール作成部１０４（図１）が作成したメールを所定の宛先（図２におけるパソコン２０７）へ送信してフローを終了する。
【００３１】
尚、制限サイズを越えていた場合にファイルを格納するサーバをＦＴＰサーバ２０１（図２）としているが、ＦＴＰ以外（ＨＴＴＰ等）であってもよい。複合機１００からのデータの送信が完了すると、ユーザはメーラー２０９（図２）を使用して格納先通知メールを受信し、ＦＴＰクライアント（図２）を使用して画像データを取得することができる。
【００３２】
（効果）の説明
以上説明したように、本実施例により、読み取った画像のサイズが大きくメールで送信できない場合でも、ＦＴＰサーバを介在させることによって情報の欠落が発生しなくなり、読み取られた画像データが、正確に再現されるという効果を得る。
【実施例２】
【００３３】
上記実施例１では、読み取った画像のサイズが大きく、メールで送信できない場合でも、ＦＴＰサーバを介在させることによって情報欠落の発生を防止していたが、本実施例では、ＦＴＰサーバに替えて、複合機内部の記憶手段を介在させることとする。
【００３４】
図６は、実施例２の複合機のブロック図である。
図に示すように、実施例２の画像処理装置としての複合機４００は、読取部１０１と、画像処理部１０２と、サイズ判別部１０３と、メール作成部１０４と、Ｗｅｂサーバ部４０５と、通信部１０５と、設定情報記憶部４０８と、画像記憶部１０８と、操作部１０９と、表示部４１１と、制御部４２０とを備えている。以下に、実施例１と相違する部分のみについて詳細に説明する。実施例１と同様の部分については、実施例１と同一の符号を付して説明を省略する。
【００３５】
Ｗｅｂサーバ部４０５は、外部装置からのＨＴＴＰでのアクセス処理を可能にする部分である。表示部４１１は、格納先サーバ設定やメール送信設定を表示する部分である。操作者は、上記操作部１０９と表示部４１１により生成される表示画面４１２を用いて設定値を入力する。この表示画面４１２は、実施例１の表示画面１１１と異なる。その詳細については後に他の図を用いて説明する。
【００３６】
設定情報記憶部４０８は、格納先のサーバ設定情報を記憶するメモリである。実施例１の設定情報記憶部１０７（図１）との相違点は、その内部に記憶されている格納先のサーバ設定情報が異なる。このサーバ設定情報については後に他の図を用いて説明する。制御部４２０は図示しないＣＰＵが、図示しないＲＯＭに予め格納されている制御プログラムを実行し、上記各部分を生成・起動するとともに装置全体を制御する部分である。
【００３７】
図７は、実施例２のネットワーク構成図である。
図に示すように、複合機４００は、メールサーバ２０４、パソコン５００と共にネットワーク２００に接続されている。実施例１ではＦＴＰサーバ２０１（図２）が接続されていたが本実施例では接続されない。
【００３８】
メールサーバ２０４は、実施例１と同様の構成を持つ。パソコン５００は、実施例１で有していたＦＴＰクライアント２１０（図２）が、本実施例ではＷｅｂ画面表示を行うＷｅｂブラウザ５０２に置き換えられている。
【００３９】
複合機４００は、実施例１の構成に加えてＷｅｂサーバ部４０５を有し、外部装置（図ではパソコン５００）からのＨＴＴＰでのアクセス処理を可能にしている。実施例１の複合機１００（図２）では、ファイルがＥメール添付不可能と判断したときに複合機１００（図２）と回線接続されるＦＴＰサーバ２０１へ送信して格納したが、本実施例では装置内部に保存し、そのアクセス先を含むメッセージをパソコン５００へ送信する点が異なる。
【００４０】
図８は、実施例２のサーバ設定情報の説明図である。
この図は、上記設定情報記憶部４０８に格納されているサーバ設定情報８００の一例である。送信先アドレス８０１にはＥメールの送信先アドレスが設定される。制限サイズ８０２はメールサーバ２０４に設定されたＥメールの添付ファイルの最大サイズが設定される。格納ディレクトリ８０３には、ファイルを格納するディレクトリが設定される。これらの設定は表示画面４１２の中に表示されるソフトキーボードを使用して入力することができる。実施例１のサーバ設定情報３００との相違点は、本実施例では、格納サーバアドレス３０３（図３）とプロトコル３０５（図３）の項目が削除されている。
【００４１】
図９は、実施例２の表示画面の説明図である。
この図は、実施例２で用いられる表示画面の一例について説明する図である。
表示画面４１２には、格納情報９０１としてサーバ設定情報８００の内容が表示される。ユーザは、上下の矢印ボタン９０２、９０３を選択して移動させ、選択ボタン９０４で決定する。決定した場合には、チェックマーク９０７が表示される。ユーザは選択完了後、送信ボタン９０６を選択することで、画像の読み取り、データの送信を開始することができる。また、ソフトキーボード９０８を使用することにより、格納サーバの登録や編集を行うことができる。
【００４２】
（動作）の説明
図１０は、実施例２の処理フローチャートである。
複合機４００が原稿を読み取ってデータを送信するまでの動作に関して、フローチャートのステップＳ１０１からステップＳ１１０まで、ステップ順に説明する。
【００４３】
ステップＳ１０１
操作者が表示画面（図９）の送信ボタン９０６を選択すると、複合機４００による原稿画像の読み取りが開始される。
【００４４】
ステップＳ１０２
画像処理部１０２（図６）は、読み取った画像データをファイルに変換する。
【００４５】
ステップＳ１０３
画像処理部１０２（図６）は、作成したファイルを画像記憶部１０８（図６）に格納する。
【００４６】
ステップＳ１０４
サイズ判別部１０３は、画像記憶部１０８（図６）に格納されているファイルのファイルサイズ、メールサーバの制限サイズを取得し、サイズ制限を越えているかどうかの判定を行う。
【００４７】
ステップＳ１０５
制限サイズを越えていない場合にはステップＳ１０６へ進み、超えている場合にはステップＳ１０８へ進む。
【００４８】
ステップＳ１０６
メール作成部１０４（図６）は、画像記憶部１０８（図６）に格納されているファイルを添付したメールを作成する。
【００４９】
ステップＳ１０７
通信部１０５（図６）は、メール作成部１０４（図６）が作成したメールを所定の宛先（図７ではパソコン５００）へ送信してフローを終了する。
【００５０】
ステップＳ１０８
通信部１０５（図６）は、設定情報記憶部１０７（図６）からサーバ設定情報８００（図８）を取得する。
【００５１】
ステップＳ１０９
メール作成部１０４（図６）は、格納先を通知するためのメールを複合機４００（図８）自身のアドレス８０１と格納ディレクトリ８０３を組み合せて作成する。
【００５２】
ステップＳ１１０
通信部１０５（図６）は、メール作成部１０４（図６）が作成したメールを所定の宛先（図７ではパソコン５００）へ送信してフローを終了する。
【００５３】
以上説明した動作の後に、複合機４００からのデータの送信が完了すると、ユーザはメーラーを使用して格納先通知メールを受信し、Ｗｅｂブラウザを使用して画像データを取得することができる。以下にＷｅｂブラウザを使用してデータを取得する動作に関して説明する。
【００５４】
図１１は、実施例２の処理のシーケンスチャートである。
図では、横方向にパソコン５００と、複合機４００とを対向させ、縦軸に共通の時間経過を表している。以下にステップＳ２０１からステップＳ２０７までステップ順にＷｅｂブラウザを使用してデータを取得する動作について説明する。
【００５５】
ステップＳ２０１
ユーザはメールを受信したら、受信したメールに記載されている複合機４００内にある画像データ格納先に対して、Ｗｅｂブラウザを起動してアクセスを行う。
【００５６】
ステップＳ２０２
Ｗｅｂブラウザで複合機にアクセスを行うことにより、ＴＣＰ／ＩＰによる接続が確立する。
【００５７】
ステップＳ２０３
ＨＴＴＰプロトコルにより画像データのＧＥＴ要求が複合機４００に対して送信される。
【００５８】
ステップＳ２０４
複合機４００が、画像データのＧＥＴ要求を受信すると、Ｗｅｂサーバ部４０５（図６）が画像記憶部１０８（図６）に格納されている画像データを取得する。
【００５９】
ステップＳ２０５
複合機４００は、通信部１０５（図６）を介して画像データをパソコン５００に対して返信する。
【００６０】
ステップＳ２０６
パソコン５００による像データ取得が完了する。
【００６１】
ステップＳ２０７
パソコン５００は、ＴＣＰ／ＩＰでの接続の切断を行いシーケンスを終了する。
【００６２】
（効果）の説明
以上説明したように、本実施例によって、ＦＴＰサーバを設置していない環境においても実施例１と同様の効果を得ることが出来るという効果を得る。
【産業上の利用可能性】
【００６３】
本発明では、実施例を複合機に限定して記載しているが、本発明はこの例に限定されるものではない。即ち、本発明は、スキャナ装置、複写機、ＦＡＸ装置、プリンタなどにも適用することができる。
【図面の簡単な説明】
【００６４】
【図１】実施例１の複合機のブロック図である。
【図２】実施例１のネットワーク構成図である。
【図３】実施例１のサーバ設定情報の説明図である。
【図４】実施例１の表示画面の説明図である。
【図５】実施例１の処理フローチャートである。
【図６】実施例２の複合機のブロック図である。
【図７】実施例２のネットワーク構成図である。
【図８】実施例２のサーバ設定情報の説明図である。
【図９】実施例２の表示画面の説明図である。
【図１０】実施例２の処理フローチャートである。
【図１１】実施例２の処理のシーケンスチャートである。
【符号の説明】
【００６５】
１００  複合機
１０１  読み取り部
１０２  画像処理部
１０３  サイズ判別部
１０５  通信部
１０７  設定情報記憶部
１０８  画像記憶部
１０９  操作部
１１０  表示部
１１１  表示画面
１２０  制御部
【図１】
2008236581.tif 000003
【図２】
2008236581.tif 000004
【図３】
2008236581.tif 000005
【図４】
2008236581.tif 000006
【図５】
2008236581.tif 000007
【図６】
2008236581.tif 000008
【図７】
2008236581.tif 000009
【図８】
2008236581.tif 000010
【図９】
2008236581.tif 000011
【図１０】
2008236581.tif 000012
【図１１】
2008236581.tif 000013